(57)【要約】      （修正有）【課題】小規模であり、廃棄物を燃料にして燃焼し、燃焼した廃熱を利用し、かつ排ガス対策のある温水器にする。【解決方法】燃焼室３に末端を溶接して空気が末端から漏れないようにし、数本の空気誘導板６を取り付けた２本の通風管７を温水器上部から下ろし、送風機４又は１３から送られてくる空気をバルブ５で調節し、２本の通風管７の吹き出し口からでた空気は誘導板６により燃焼室３内全体に空気を供給することで燃焼率を向上させ、かつ排ガス中の数マイクロメートル以上のダストを壁面に付着させて取り除き、連絡通路の向かいにバーナー９を設置することで二次燃焼の役割をさせることで、排ガス中の窒素酸化物量を軽減させる。  また一連の流れから発生した廃熱を液体２３で回収し、暖かい液体を作る温水器である。【選択図】図１
2006132910.tif 000002
【特許請求の範囲】
【請求項１】
当該燃焼室には、末端を溶接で空気が漏れないようにし、数本の空気誘導版を取り付けた２本の通風管を焼却装置の上部から下ろし、送風機から送られてくる空気を焼却装置上部に設置したバルブ等を用いて調節し、燃焼室内で渦巻状の空気を作る焼却装置を取り付け、燃焼室と冷却室から発生する廃熱を利用して液体を温める温水器
【請求項２】
請求項１において、当該燃焼室内に設置したバーナー位置を冷却室への通風口の反対側に取付けることで、二次燃焼を省略できる温水器
【発明の詳細な説明】
【技術分野】
【０００１】  本発明は、廃棄物を焼却する際に発生する排熱を利用した温水器に関するものである。
【背景技術】
【０００２】  従来の廃熱利用された技術は、大きいものではエンジン等の内燃機関の廃熱を利用した技術や、ガスタービン等の外燃機関の廃熱を利用する技術はあり、小さいものでは籾殻を焚いて温水にするボイラーがあった。【０００３】  また、特開平０６−０５０５０１のようにごみ焼却炉の熱を利用し蒸気を発生させ、高圧蒸気系統にある蓄熱器に集めて、低圧蒸気系統に減圧弁を介して燃料となるごみの水分を取り、発熱量を上昇させる熱回収システムがある。しかし、この方法だと規模が大型化するために、設置場所や設置者が特定される。【０００４】  そして籾殻や糠を焚いて温水する装置は、小規模ではあるが排ガス処理が不十分であった。
【発明の開示】
【発明が解決しようとする課題】
【０００５】  解決しようとする問題点は、小規模の廃熱を利用した温水器であり、かつ排気ガス処理装置を設置して、温水器からの大気汚染物質を除去する温水器である。
【課題を解決しようとする課題】
【０００６】  本発明は、燃焼室に誘導板を取り付けた通風管を用いることで燃焼室内全体に空気を供給しつつ、渦巻き状の空気の流れにより数μｍ以上のダストを壁面に付着させることで白熱状態にあるダストや燃えやすいダストを分離し、冷却室内で慣性力集じん装置を直列運転することで、総合集じん率を上げることで燃焼効率の向上と排気ガスによる大気汚染を軽減し、周辺環境を維持する。
【非特許文献１】経済産業省産業技術環境局「公害防止の技術と法規  大気編」  丸善  １９９８年
【発明の効果】
【０００７】  本発明の温水器は、温水器の内側と温水器の中に設置した燃焼室、冷却室の外側を水などの液体を循環させて液体を温めることができ、かつ、燃焼室内に設置した数本の誘導板を取り付けた２本の通風管と温水器上部に取り付けたバルブを調節し、効率的に渦巻状の空気の流れを発生させダストを取り除き、燃焼室から冷却室につながる連絡通路の向かいにあるバーナーで燃焼することで排ガス中の窒素酸化物を抑えることができる。また、渦巻状の空気の流れを燃焼室に取り付けることで、壁面に着いたダストが捕りやすいためメンテナンスが楽であるという利点がある。
【発明を実施するための最良の形態】
【０００８】  温水器は、工場から排出する廃棄物を燃料とすることで廃棄物量を削減し、燃焼室の外側から出る廃熱を熱源として液体を温め、温められた液体をファンコイル等の熱交換器に送ることにより、工場内の暖房や木材等の乾燥に用いることができる。
【実施例】
【０００９】  温水器（１）の投入口（２）から燃焼室（３）内に廃棄物を入れる。そして送風機（４）から送られてく空気が調整されたバルブ（５）を通過し、誘導板（６）付通風管（７）に行き、通風管（７）にある吹き出し口（８）から燃焼室（３）内に空気を送る。吹き出し口（８）から出た空気は、誘導板（６）から導かれて、燃焼室（３）内で渦巻状の空気の流れを発生する。【００１０】  燃焼室（３）内に空気を送り込んだら、バーナー（９）を点火する。燃焼室内温度（１０）が一定温度になるまでは送風機（４）を使い、一定温度に達成したら、燃焼室内温度計（１０）からの情報が制御盤（１１）に送られ、電磁弁（１２）を動かし送風機（４）から送風機（１３）に切り換えて空気を送る。送風機（４）は温水器のカバー（１４）と温水器（１）の外側の間から吸引し、カバー（１４）の下部の空気吸引口（１５）から不足分の空気を回収する。【００１１】  燃焼室（３）内の底の部分に下部通風管（１６）を設けて、電磁弁（１２）から送られてくる空気を、バルブ（１７）で調節し、下部通風管（１６）の吹き出し口（１８）から燃焼室（３）内に供給し、燃焼室（２）の下隅に溜まる廃棄物を燃やす。【００１２】  燃焼室（３）内で発生した排気ガスは、燃焼室（３）内の上部に行き、バーナー（９）からの火力で排ガス中の窒素酸化物を削減し、バーナーからの風圧を利用して排気ガスを連絡通路（１９）に送り冷却室（２０）へ送風される。【００１３】  冷却室（２０）に入った排気ガスは、仕切板（２１）に衝突し、排ガス中の粒子は慣性力を利用して分離捕集する。分離捕集した粒子は冷却室用取出し口（２２）から回収する。冷却室（２０）の外側の液体（２３）により廃熱回収効果と仕切板（２１）により冷却室（２０）内を回ることによる効果と合わせて排ガス温度を下げる。そして煙突（２４）を通って大気中に放出される。【００１４】  温水器内の液体（２３）の循環方法は、温水器内の温度を考えると暖房戻り口（２６）から暖房口（２５）へ液体（２３）を循環させるのだが、早めに暖かい液体が必要な場合は、逆循環することで早めに暖かい液体を供給することができる。【００１５】  万が一、停電による空気の供給不能な場合や、地震による被害が発生した場合、耐震装置（３４）が制御盤（２７）へ情報を伝達し、制御盤（２７）により水槽（２８）と燃焼室（３）内を結ぶパイプに取り付けた電磁バルブ（２９）が開き、燃焼室（３）内の炎を消火する。【００１６】  また、温水器内の液体（２３）が沸騰した場合、膨張管（３０）から蒸気を逃がすことで温水器（１）内に発生する蒸気圧がかからないようにしている。そして温水器内の液体量が不足したときは、水槽（２８）内の水が採水口（３１）を介して温水器（１）内に入る。水槽（２８）内の水が不足したら、ボールタップ（３２）が下がり水源から水を補う。【００１７】  燃焼室（３）に投入した廃棄物が燃え尽きたら、バーナー（９）を止め、灰を燃焼室取り出し口（３３）から回収する。
【産業上の利用可能性】
【００１８】  農家が籾殻を温水器の燃料として使用することで籾殻の処理ができ、温水を利用してハウス内の暖房への使用や、土壌内にパイプを走らせ土壌中の消毒にも使用できる。
【図面の簡単な説明】
【００１９】
【図１】温水器正面図を示した説明図である。
【図２】温水器概略図を示した説明図である。
【図３】誘導板付送風管を示した説明図である。
【図４】燃焼室下部を示した説明図である。
【符号の説明】
【００２０】１    温水器
２    投入口
３    燃焼室
４    送風機
５    バルブ
６    誘導板
７    通風管
８    吹き出し口
９    バーナー
１０  燃焼室内温度計
１１  制御盤
１２  電磁弁
１３  送風機
１４  カバー
１５  空気吸引口
１６  下部通風口
１７  バルブ
１８  吹き出し口
１９  連絡通路
２０  冷却室
２１  仕切板
２２  冷却室用取出し口
２３  液体
２４  煙突
２５  暖房口
２６  暖房戻り口
２７  制御盤
２８  水槽
２９  電磁バルブ
３０  膨張管
３１  採水口
３２  ボールタップ
３３  燃焼室用取り出し口
３４  耐震装置
【図１】
2006132910.tif 000003
【図２】
2006132910.tif 000004
【図３】
2006132910.tif 000005
【図４】
2006132910.tif 000006